(57)【要約】      （修正有）【課題】ネットワークに接続される電子デバイスを、支持面に固定する為のユニットであって、簡単で、より人間工学的に扱いやすいアセンブリ方法を提供する。【解決手段】電子デバイス（１０２）を支持面（１０４）に固定するためのアセンブリは、固着ユニット（１０６）と装着ユニット（１０８）とを備え、装着ユニットが固着ユニットに沿って完全な接続位置内へ滑動すると、電子デバイスがネットワークに自動的に接続されるように配置される。また、アセンブリは、中間接続位置において電子デバイスを、ネットワークに接続させることなく、固着ユニットによってしっかり保持することができるようにも配置される。【選択図】図２
2018201010.tif 000002
【特許請求の範囲】
【請求項１】
電子デバイス（１０２）を支持面（１０４）に固定するためのアセンブリ（１００）であって、
前記支持面に取り付けられるように配置され、第１の機械的嵌合要素（１１２）及び第１のネットワーク接続要素（１１０）とを備える固着ユニット（１０６）と、
前記電子デバイスの一部を形成し、第２の機械的嵌合要素（１１６）及び第２のネットワーク接続要素（１１４）とを備える装着ユニット（１０８）と
を備え、
前記第２の嵌合要素は、接続解除位置から完全な接続位置へ、前記第１の嵌合要素に沿って滑動し、前記第１の嵌合要素によって案内されるように配置され、
前記第１のネットワーク接続要素と前記第２のネットワーク接続要素は前記完全な接続位置で接続され、
前記第１の機械的嵌合要素と前記第２の機械的嵌合要素は、前記第１の機械的嵌合要素と前記第２の機械的嵌合要素を前記接続解除位置と前記完全な接続位置との間に設けられた中間接続位置に保持するための機械的係合手段（１１８、１２０）を備え、
前記第１のネットワーク接続要素と前記第２のネットワーク接続要素は、前記中間接続位置において接続解除されている、アセンブリ。
【請求項２】
前記電子デバイスは、監視カメラ、スピーカ、照明ユニット又は距離センサ等のネットワークに接続されたデバイスを備える、請求項１に記載のアセンブリ。
【請求項３】
前記支持面は水平面であり、より具体的には、天井あるいは装着プラットフォームの表面である、請求項１又は２に記載のアセンブリ。
【請求項４】
前記支持面は垂直面であり、前記固着ユニットは、前記第１の機械的嵌合要素が前記第２の機械的嵌合要素を水平方向に案内するように、前記支持面に取り付けられるように配置される、請求項１から３のいずれか一項に記載のアセンブリ。
【請求項５】
前記第１の機械的嵌合要素及び前記第２の機械的嵌合要素のうちの一方はフランジを備え、前記第１の機械的嵌合要素及び前記第２の機械的嵌合要素のうちの他方はブラケットを備える、請求項１から４のいずれか一項に記載のアセンブリ。
【請求項６】
前記第１のネットワーク接続要素及び前記第２のネットワーク接続要素のうちの一方は電子ネットワークプラグを備え、前記第１のネットワーク接続要素及び前記第２のネットワーク接続要素のうちの他方は合致する電子ネットワークソケットを備える、請求項１から５のいずれか一項に記載のアセンブリ。
【請求項７】
前記第１のネットワーク接続要素は第１の光ファイバーコネクタを備え、前記第２のネットワーク接続要素は合致する第２の光ファイバーコネクタを備える、請求項１から６のいずれか一項に記載のアセンブリ。
【請求項８】
前記第１のネットワーク接続要素及び第２のネットワーク接続要素のうちの一方はオーディオプラグを備え、前記第１のネットワーク接続要素及び第２のネットワーク接続要素のうちの他方は合致するオーディオソケットを備える、請求項１から７のいずれか一項に記載のアセンブリ。
【請求項９】
前記第１のネットワーク接続要素及び第２のネットワーク接続要素のうちの一方は電気プラグを備え、前記第１のネットワーク接続要素及び第２のネットワーク接続要素のうちの他方は合致する電気ソケットを備える、請求項１から８のいずれか一項に記載のアセンブリ。
【請求項１０】
前記機械的係合手段は、前記第１の機械的嵌合要素及び前記第２の機械的嵌合要素のうちの一方に設けられたラッチ（１１８）と、前記第１の機械的嵌合要素及び前記第２の機械的嵌合要素のうちの他方に設けられた合致するカットアウト（１２０）を備え、前記ラッチは、前記カットアウトへ入るように付勢されている、請求項１から９のいずれか一項に記載のアセンブリ。
【請求項１１】
前記固着ユニットは第１のロック要素（１２４）を備え、前記装着ユニットは第２のロック要素（１２６）を備え、前記第１のロック要素と前記第２のロック要素は、前記完全な接続位置において前記固着ユニットと前記装着ユニットとを互いに固定することが可能になるように配置され、これにより、前記装着ユニットと前記固着ユニットとが前記完全な接続位置にしっかり維持される、請求項１から１０のいずれか一項に記載のアセンブリ。
【請求項１２】
前記第１のロック要素及び前記第２のロック要素は、ナット及びボルト接続、又はネジ及びネジ穴接続のうちの少なくとも１つを備える、請求項１１に記載のアセンブリ。
【請求項１３】
前記装着ユニットを前記完全な接続位置から前記中間接続位置の方へ付勢するための付勢要素を更に備える、請求項１１又は１２に記載のアセンブリ。
【請求項１４】
前記付勢要素は、バネ又は圧縮性材料の形態の弾性要素を備える、請求項１３に記載のアセンブリ。
【請求項１５】
前記第１の機械的嵌合要素は、前記第２の機械的嵌合要素を前記第１の機械的嵌合要素と係合するように案内しやすくするために配置された先細の導入部（１２２）を備える、請求項１から１４のいずれか一項に記載のアセンブリ。
【発明の詳細な説明】
【技術分野】
【０００１】
本発明は、電子デバイスを支持面に固定するためのアセンブリに関する。
【背景技術】
【０００２】
監視カメラ、及び他の大型電子デバイスを、高いところに位置する、又は他の方法でアクセスするには困難な天井、又は他の装着面に装着する必要がある。上記デバイスを通信ネットワークに物理的に接続するだけでなく、ねじ又は同様のものによって表面に取り付ける必要がある場合、敷設業者は、片手で重く高価な機器のバランスを保ちながら、もう一方の手でネットワークケーブルを接続させる必要があり得、これは、作業の人間工学の観点、及び効率性の見方のいずれからも好ましくない状況である。例えばメンテナンスの目的等で、電子デバイスを一時的に通信ネットワークから物理的に接続解除する必要がある時に、同様の面倒な状況が生じうる。したがって、この分野には改善の余地がある。
【発明の概要】
【０００３】
したがって、本発明の目的は、ネットワークに接続された電子デバイスを支持面に固定する、簡単で、より人間工学的に扱いやすい方法を提供することである。
【０００４】
本発明の第１の態様によれば、上記目的は、電子デバイスを支持面に固定するためのアセンブリによって達成され、このアセンブリは、支持面に取り付けられるように配置され、第１の機械的嵌合要素及び第１のネットワーク接続要素とを備える固着ユニットと、電子デバイスの一部を形成し、第２の機械的嵌合要素及び第２のネットワーク接続要素とを備える装着ユニットとを備え、第２の嵌合要素は、接続解除位置から完全な接続位置へ、第１の嵌合要素に沿って滑動し、第１の嵌合要素によって案内されるように配置され、第１のネットワーク接続要素と第２のネットワーク接続要素は完全な接続位置で接続され、第１の嵌合要素と第２の嵌合要素は、第１の嵌合要素と第２の嵌合要素を接続解除位置と完全な接続位置との間に設けられた中間接続位置に保持するための機械的係合手段を備え、第１のネットワーク接続要素と第２のネットワーク接続要素は、中間接続位置において接続解除されている。
【０００５】
このアセンブリにより、例えば監視カメラ等の電子デバイスを表面に設置する時に、簡単で、より人間工学的に扱いやすい設置手順を実現することが可能である。設置はステップで実施され得、異なるステップは、異なる資格（ネットワーク技術者、カメラ設置者等）を持つ異なる人によって実施されうる。第１のステップとして、固着ユニットを支持面に装着し、次のステップで、固着ユニットをネットワークに接続することができる。固着ユニットは、電子デバイスよりもかなり軽量にできている可能性があるため、設置業者が固着ユニットを正確に位置づけし、ネットワークに接続させるのは難しいことではない。固着ユニットを設置している間、電子デバイスはそれ自体のパッケージ内に、あるいは別の位置にさえも安全に置いておくことができる。電子デバイスを固着ユニットに設置している時に、機械的嵌合要素が係合して完全な接続位置へ向かう方向に滑動するように、電子デバイスを持ち上げる。電子デバイスは、必要ならば、ネットワークに接続せずに、中間接続位置に安全に置いておくことができる。この間に、電子デバイスの重量は、設置を実施している人によってではなく、固着ユニットによって担持される。上記の構成ステップが終了したら、電子デバイスを完全な接続位置へ移動させ（例えば押し込み）、これによって、第１及び第２のネットワーク接続要素が接続されたときに、自動的にネットワークへ接続される。これにより、電子デバイスの固着ユニットと支持ユニットとの間で、ネットワークコネクタを別々に接続する面倒がなくなるという利点が得られる。
【０００６】
電子デバイスは、例えば監視カメラ、スピーカ、照明ユニット又は距離センサ等のネットワークに接続されたデバイス、又はネットワーク接続要素を介してネットワークに接続された別の種類の電子デバイスを含みうる。
【０００７】
支持面は、水平面、より具体的には天井、あるいは装着プラットフォームの表面であってよい。上記面において、敷設業者が長時間、不自然な姿勢で電子デバイスを保持する必要がないように、設置プロセスの始めに、固着ユニットによって電子デバイスを保持させることが有益である。電子デバイスが支持面（例えば、天井）からぶら下がっている時にこの利点はより顕著であるが、表面に対して静止している電子デバイスに対して本発明を使用することに関しても利点がある。例えば、デバイスが屋外の、棒（ｐｏｌｅ）又は柱の上部のプラットフォームの高いところに装着される場合、デバイスが強風の影響を受ける可能性があり、したがって、電子デバイスを中間接続位置にしっかり保持することは明らかに有益である。
【０００８】
支持面はあるいは垂直面である場合があり、その場合固着ユニットは、第１の機械的嵌合要素が第２の機械的嵌合要素を水平方向に案内するように、支持面に取り付けられるよう配置される。こうすれば、固着ユニットが中間接続位置において電子デバイスの重量も保持し、支持面が水平面であるときと同じ利点が得られる。
【０００９】
第１及び第２の機械的嵌合要素のうちの一方はフランジを含んでいてよく、第１及び第２の機械的嵌合要素のうちの他方はブラケットを含んでいてよく、これにより、支持ユニットと固着ユニットとの間における便利で効率的な嵌合が確保される。
【００１０】
第１及び第２のネットワーク接続要素のうちの一方は電子ネットワークプラグを含んでいてよく、第１及び第２のネットワーク接続要素のうちの他方は合致する電子ネットワークソケットを含んでいてよい。一般例は、例えばＲＪ−４５プラグ及びソケット接続等のイーサネットプラグ及びソケット接続である。上記イーサネット接続は、電子デバイスにパワー・オーバー・イーサネット（ＰｏＥ）を提供するのにも使用されうる。
【００１１】
更に、あるいは代替として、第１のネットワーク接続要素は第１の光ファイバーコネクタを含んでいてよく、第２のネットワーク接続要素は合致する第２の光ファイバーコネクタを含んでいてよい。
【００１２】
ネットワーク接続に加えて、第１及び第２のネットワーク接続要素のうちの一方はオーディオプラグを含んでいてよく、第１及び第２のネットワーク接続要素のうちの他方は合致するオーディオソケットを含んでいてよい。こうすれば、ネットワーク接続と同じ方法で、音を電子デバイスへ、又は電子デバイスから転送するための接続を自動的に実現することができる。
【００１３】
ネットワーク接続に加えて、第１及び第２のネットワーク接続要素のうちの一方は電気プラグを含んでいてよく、第１及び第２のネットワーク接続要素のうちの他方は合致する電気ソケットを含んでいてよい。これは、光ファイバーネットワークを使用している時、あるいはＰｏＥ接続からの電力が不十分である時等に、ネットワーク接続が電子デバイスに電力を供給しない場合に有用でありうる。
【００１４】
機械的係合手段は、第１及び第２の機械的嵌合要素のうちの一方に設けられた、例えば突起部の形態等の何らかの種類のラッチと、第１及び第２の機械的嵌合要素のうちの他方に設けられた合致する開口部又はカットアウトを含んでいてよく、ラッチは、カットアウトへ入るように付勢されている。これは、中間接続位置において安全な機械的静止位置を確保する便利で効率的な方法であり、必要な場合に、電子デバイスをその位置から完全な接続位置（又は接続解除位置）へ移動させることも可能になる。
【００１５】
固着ユニットは第１のロック要素を含んでいてよく、装着ユニットは第２のロック要素を含んでいてよく、第１のロック要素と第２のロック要素は、完全な接続位置において固着ユニットと装着ユニットとが互いにロックされうるように配置され、これにより、装着ユニットと固着ユニットが完全な接続位置にしっかり維持される。
【００１６】
第１及び第２のロック要素は、ナット及びボルト接続、又はネジ及びネジ穴接続のうちの少なくとも１つを含みうる。
【００１７】
加えて、装着ユニットを完全な接続位置から中間接続位置の方へ付勢するための付勢要素が配設されうる。こうすれば、敷設業者が、アセンブリを完全な接続位置から中間接続位置へ移動させやすくなる。
【００１８】
付勢要素は、バネ又は圧縮性材料の形態の弾性要素を含みうる。
【００１９】
第１の機械的嵌合要素は、第２の機械的嵌合要素を第１の機械的嵌合要素と係合するように案内しやすくするために配置された、先細の導入部を備えうる。これにより、電子デバイスを固着ユニットに設置することが更に簡単になる。
【００２０】
一般的に、請求項で使用されるすべての用語は、本書で別途明示的に規定されない限り、当該技術分野におけるそれらの用語の通常の意味に従って解釈すべきである。「デバイス、部材、パラメータ、ステップ」などに不定冠詞又は定冠詞「ａ／ａｎ／ｔｈｅ」を付けて参照することはすべて、別途明示的に記載されない限り、前記デバイス、部材、パラメータ、ステップなどの少なくとも１つの実例を指すものと、オープンに解釈されるべきである。本明細書に開示される任意の方法のステップは、明示的に記載されない限り、開示される順序に厳格に従って実行される必要はない。
【００２１】
本発明の上記及び追加の目的、特徴、及び利点は、付随する図面を参照しつつ、本発明の好ましい実施形態の以下の例示的かつ非限定的な詳細説明を通して、より明確に理解されるであろう。図面では類似要素に対して同じ参照番号が使用されている。
【図面の簡単な説明】
【００２２】
【図１】完全な接続位置にある、支持面に電子デバイスを固定するアセンブリを示す斜視図である。
【図２】接続解除位置にあるアセンブリと電子デバイスを示す図である。
【図３】固着ユニットを前から見た図である。
【図４】固着ユニットを示す斜視図である。
【図５】それ自体の装着ユニットを有する電子デバイスを前から見た図である。
【図６】固着ユニットに面する側から見た装着ユニットを示す斜視図である。
【図７】水平支持面から吊り下げられた時の、中間接続位置にあるアセンブリと電子デバイスを示す図である。
【図８】完全な接続位置にあるアセンブリと電子デバイスを示す図である。
【図９】垂直支持面に装着されたときに、中間接続位置にあるアセンブリと電子デバイスを示す図である。
【図１０】完全な接続位置にある図９のアセンブリと電子デバイスを示す図である。
【図１１】垂直支持面に別の方法で装着されたときに、中間接続位置にあるアセンブリと電子デバイスを示す図である。
【図１２】完全な接続位置にある図１１のアセンブリと電子デバイスを示す図である。
【００２３】
図１に、電子デバイス１０２を支持面１０４に固定するためのアセンブリ１００を示す。アセンブリ１００は、支持面１０４に取り付けられた固着ユニット１０６と、通常は電子デバイス１０２の一部である装着ユニット１０８とを備える。電子デバイス１０２は、例えばＰＴＺモータが含まれる監視カメラ等の監視カメラであってよい、あるいは電子デバイス１０２は、スピーカ、照明ユニット又は例えばレーダ又はレーザユニット等の距離センサであってよい、あるいは電子デバイス１０２は、これらのいずれかの組み合わせ、又は他のネットワークに接続されたデバイスを含んでいてよい。
【００２４】
図２〜４に示すように、固着ユニット１０６は、一対のブラケット１１２の形態で例示される、第１のネットワーク接続要素１１０と第１の機械的嵌合要素１１２とを有する。図２及び図５〜６に示すように、装着ユニット１０８は、第１のネットワーク接続要素１１０と合致する第２のネットワーク接続要素１１４と、ブラケット１１２と合致する、一対のフランジ１１６の形態で例示される、第２の機械的嵌合要素１１６とを有する。
【００２５】
第１及び第２の機械的嵌合要素１１２、１１６は、装着ユニット１０８が固着ユニット１０６に対して固定され、きちんと定められた方法で滑動することを可能にするのに好適ないかなる設計のものであってもよく、例えば第１及び第２の嵌合要素の一方として配設されたレールと、第１及び第２の機械的嵌合要素の他方として合致する細長い開口部又は軌道を備えうる。
【００２６】
ネットワーク接続要素１１０及び１１４は、例えば電子デバイスへのイーサネット接続に電力も提供するＲＪ−４５プラグ及びジャック等の、イーサネットプラグ及び合致するソケットの形態の電子ネットワークプラグ及びソケット接続、又は合致する光ファイバーネットワークコネクタ等の、２つの任意の合致するネットワーク接続の形態であってよい。加えて、ネットワーク接続要素は、オーディオコネクタ等の、例えばオーディオプラグ及びソケットの組み合わせ、又は電力を供給するためのコネクタの形態、例えば電気プラグ及びソケットの組み合わせの形態の、別の接続例を備えうる。
【００２７】
図１に図示した電子デバイス１０２を有するアセンブリ１００は完全な接続位置にあり、装着ユニット１０８は固着ユニット１０６に装着され、これにより電子デバイス１０２は、互いに接続された第１と第２のネットワーク接続要素１１０及び１１４を介してネットワークに接続される。
【００２８】
図２において図示した電子デバイス１０２を有するアセンブリ１００は、接続解除位置にある。図示した固着ユニット１０６は支持面１０４に取り付けられ、それ自体の装着ユニット１０８を有する電子デバイス１０２は、例えば電子デバイス１０２を設置するプロセス中の人によって保持される。
【００２９】
電子デバイス１０２の設置において、固着ユニット１０６は最初支持面１０４に取り付けられ、例えば標準のネットワークケーブル接続（図示せず）を介して、ネットワークに接続される。第２の機械的嵌合要素１１６は次に、第１の機械的嵌合要素１１２の解放端部と接触し、これに位置合わせされるように位置づけされ、装着ユニット１０８を有する電子デバイス１０２は第１のネットワーク接続要素１１０の方へ押され、これにより、第２の機械的嵌合要素１１６は、第２のネットワーク接続要素１１４が第１のネットワーク接続要素１１０に接続されるまで第１の機械的嵌合要素１１２に沿って滑動し、第１の機械的嵌合要素１１２によって案内されて、完全な接続位置に到達する。
【００３０】
機械的嵌合要素１１２及び１１６の最初の相互の位置づけを簡単にするために、第１の機械的嵌合要素１１２を第２の機械的嵌合要素１１６と接触するように案内するのを助けるため、第２の機械的嵌合要素１１６が先細の又は斜めの導入部１２２を有していてよい。
【００３１】
図示した支持面１０４は、電子デバイス１０２をそこから吊り下げる、主に水平面（例えば、天井）であることに留意すべきである。支持面１０４は、電子デバイス１０２が静止する、装着プラットフォームの表面等の、例えば棒（ｐｏｌｅ）、柱又は類似のものの上部等の表面であってもよい。支持面１０４は、図９〜１２に示すように、例えば壁等の垂直面であってもよい。後者の場合、機械的嵌合要素により電子デバイス１０２を簡単に保持することができるようにするために、機械的嵌合要素を水平方向に位置合わせすることが好ましい。
【００３２】
本発明者らが認識したように、一方の固着ユニット１０６と、他方の装着ユニット１０８を有する電子デバイス１０２との間の機械的接続を維持しながら同時に、電子デバイス１０２をネットワークに接続させないことが好ましい状況がある。上記のような状況は、例えば設置中に、敷設業者が何か確認する必要があり、ネットワーク接続を開始せずに、電子デバイス１０２を固着ユニット１０６によって安全に吊り下げられた状態に置いておきたいときに生じうる。別の状況は、電子デバイス１０２のハードリセットが要求され、ネットワーク接続（そしておそらく電源）を遮断する必要があるときである。この場合、固着ユニット１０６が電子デバイス１０２をしっかり支持し続けることができれば、有益となりうる。
【００３３】
このため、すなわち、ネットワークが接続解除された状態で機械的接続を達成するために、アセンブリ１００は、力が加わらない限り、電子デバイスが安定的に、また安全に保持される、すなわち、支持ユニット１０８と固着ユニット１０６とが互いに対して簡単には移動しない中間接続位置を提供する機械的係合手段１１８、１２０を備える。機械的係合手段は、第２の機械的嵌合要素１１６に設けられた一または複数の突起部、一または複数の突出部又は一または複数のラッチ１１８、及び第１の機械的嵌合要素１１２に設けられた合致する一または複数のくぼみ、一または複数の開口部、又は一または複数のカットアウト１２０として例示される。言うまでもなく、カットアウト１２０を代わりに第２の機械的嵌合要素１１６に設けて、ラッチ１１８を第１の機械的嵌合要素１１２に設けることができる。ラッチ１１８は、カットアウト１２０に入るように、何らかの方法で付勢されている。付勢作用は例えば、固着ユニット１０６に対して装着ユニット１０８が滑動している間に、ラッチ１１８がカットアウト１２０を備える嵌合要素の方へ押されることにより、ラッチ１１８とカットアウト１２０の互いの位置がそろった時に、ラッチ１１８が自動的にカットアウト１２０に入るように、わずかに弾性のある機械的嵌合要素によってもたらされ得る。中間接続位置は図７に示される。図９〜１２に、電子デバイスが壁、又は別の主に垂直の支持面１０４に装着された時の、２つの変形例における中間接続位置（図９及び１１）と、完全な接続位置（図１０及び１２）を示す。図９〜１０では、固着ユニット１０６は、固着ユニットが天井に装着されるのと類似した方法で壁に装着される、すなわち、接続されていない位置から中間接続位置へ、そして完全な接続位置へ移されるときに、電子デバイス１０２と支持ユニット１０８が支持面１０４に並行する水平方向に移動する。図１１〜１２では、固着ユニット１０６は代わりに、すなわち、接続されていない位置から中間接続位置へ、そして最後に完全な接続位置へ移されるときに、支持ユニット１０８を有する電子デバイス１０２を支持面１０４の方へ水平方向に移動させる方法で装着される。
【００３４】
したがって、電子デバイス１０２が接続解除位置から完全な接続位置へ押された時に、電子デバイス１０２は敷設業者が所望する場合のみ、次に中間接続位置を通過して、完全な接続位置へ移動する。ラッチ１１８は、カットアウト１２０内へ滑動し、次に、敷設業者が電子デバイス１０２を接続させる準備ができた場合に、電子デバイス１０２をほんの少し力強く押すことによって、ラッチ１１８がカットアウト１２０から滑り出て、電子デバイス１０２が図８、１０及び１２に示すように、完全な接続位置へ移動し、ネットワーク接続要素が互いに自動的に接続され、これにより電子デバイス１０２がネットワークに接続される。
【００３５】
電子デバイス１０２を支持面から取り外すことなくネットワークから接続解除する必要がある時は、敷設業者は、電子デバイス１０２を完全な接続位置から（例えば、この位置から離れるように引っ張ることによって）移動させて、次に、それを中間接続位置に確実に静止させることができる。敷設業者が電子デバイス１０２をネットワークへ再接続する準備ができた時に、電子デバイス１０２を（例えば、押し戻すことによって）完全な接続位置へ戻すことができる。
【００３６】
アセンブリ１００はまた、アセンブリ１００を完全な接続位置にしっかり維持し、また装着ユニット１０８と固着ユニット１０６とが互いに対して完全な接続位置からうっかり移動してしまうのを避けるために、装着ユニット１０８と固着ユニット１０６に設けられたロック要素１２４、１２６も含みうる。上記ロック要素は、例えばねじ穴１２６内へねじ込まれたネジ１２４の形態、又はナット及びボルト接続の形態で配設されうる。
【００３７】
上記ロック要素を設けることにより、完全な接続位置から離れて中間接続位置へ向かう方向に装着ユニットを付勢するように配置された付勢要素を追加する可能性も生じる。上記付勢要素が配設されると、電子デバイスを接続解除しようとする敷設業者はロック要素をロック解除する、又は解放するだけでよく、そうすれば電子デバイスが、付勢要素の付勢力によって押されて、完全な接続位置から中間接続位置へ簡単に滑り出る。付勢要素は、例えば、圧縮バネ又は圧縮性（及び弾性）材料によって作られる要素等の、弾性要素の形態で配設されうる。
【００３８】
要約すると、電子デバイスを支持面に固定するためのアセンブリは、固着ユニットと装着ユニットとを備え、装着ユニットが固着ユニットに沿って完全な接続位置へ滑り込むと、電子デバイスがネットワークに自動的に接続されるように配置されるということである。アセンブリはまた、電子デバイスを、中間接続位置においてネットワークに接続させずに、固着ユニットによってしっかり保持することができるようにも配置される。
【００３９】
当業者は、上述の実施形態を多くの方法で修正し、かつ、上記の実施形態で示す本発明の利点をそこでも使用することが可能であることを、理解するであろう。従って、本発明は、図示した実施形態に限定されるべきではなく、添付の特許請求の範囲によってのみ規定されるべきである。さらに、当業者が理解しているように、示された実施形態は組み合わせることが可能である。
【符号の説明】
【００４０】
１００    アセンブリ
１０２    電子デバイス
１０４    支持面
１０６    固着ユニット
１０８    装着ユニット
１１０    第１のネットワーク接続要素
１１２    第１の機械的嵌合要素
１１４    第２のネットワーク接続要素
１１６    第２の機械的嵌合要素
１１８    機械的係合手段
１２０    機械的係合手段
１２２    導入部
１２４    第１のロック要素
１２６    第２のロック要素
【図１】
2018201010.tif 000003
【図２】
2018201010.tif 000004
【図３】
2018201010.tif 000005
【図４】
2018201010.tif 000006
【図５】
2018201010.tif 000007
【図６】
2018201010.tif 000008
【図７】
2018201010.tif 000009
【図８】
2018201010.tif 000010
【図９】
2018201010.tif 000011
【図１０】
2018201010.tif 000012
【図１１】
2018201010.tif 000013
【図１２】
2018201010.tif 000014
【外国語明細書】
2018201010000001.pdf
2018201010000002.pdf
2018201010000003.pdf
2018201010000004.pdf